(57)【特許請求の範囲】
【請求項１】
被検者からの応答に基づいて被検眼の視機能を検査する自覚式検眼装置であって、
前記被検眼の視機能を検査するための各種の視標を前記被検眼に向けて提示する視標提示手段と、
前記被検眼の視機能を矯正するため前記視標提示手段と前記被検眼との間に配置される各種の光学素子と、
前記光学素子の交換又は回転その他の位置状態を制御する位置制御手段とを備えるとともに、
該光学素子群には、所定の方向に偏光された光束成分のみを透過させるための偏光部材が含まれ、
前記位置制御手段は、前記偏光部材の偏光方向を変えるように前記偏光部材の位置を制御することが可能なように構成され、
前記位置制御手段によって前記偏光部材を所定の位置に制御し、その制御後の前記偏光部材の所定の位置を記憶手段に記憶させるように構成した自覚式検眼装置。
【請求項２】
前記偏光部材の偏光方向を手動で調整する手動調整手段と、
前記手動調整手段による調整の終了を示す信号を出力する信号出力手段と、
前記信号出力手段から前記信号が出力された場合に、その信号出力時の前記偏光部材の位置を記憶する記憶手段とを具備するとともに、
前記位置制御手段は前記手動調整手段からの入力に基づいて作動し、
前記位置制御手段は、前記記憶手段による記憶後は、前記記憶手段の記憶内容に基づいて前記偏光部材の位置を制御するように構成されたことを特徴とする請求項１に記載の自学式検眼装置。
【発明の詳細な説明】
【０００１】
【発明の属する技術分野】
この発明は、被検眼の光学特性を被検者の応答に基づいて検査する自覚式検眼装置に関し、より詳しくは、こうした装置において両眼視機能検査を行うための機構についての改良に関する。
【０００２】
【従来技術】
従来より、種々の光学素子を適宜被検眼の前方に配置するとともに、これら光学素子を介して所定の複数の視標を被検眼に見せ、これらの視標の見え方を被検者に応答させることにより、被検眼の光学特性を測定する自覚式検眼装置が知られている。
【０００３】
この種の自覚式検眼装置の典型的な例としては、図１６に示すように、左右同一の構成となっているフォロプタ１を備え、その内部に種々の光学素子がはめ込まれた複数の回転ディスクを備えたものを挙げることができる。そして、操作部２を操作することにより、この複数の回転ディスクを回転させて検査窓１Ｒ,１Ｌの位置に所望の光学特性の光学素子を切換え配置している。被検者は、検査窓１Ｒ,１Ｌを介して視標提示装置３に提示された視標４を見て、その見え具合を応答する。
【０００４】
この種の検査装置では、球面度数検査、乱視度数検査、乱視軸検査、両眼視機能検査、両眼バランス検査などの様々な検査が実行可能となっている。このうち、両眼視機能検査をする場合には、偏光角度４５度の偏光板を備えた右眼用視標と偏光角１３５度の偏光板を備えた左眼用視標を提示する。一方、検査窓１Ｒには４５度の偏光板を配し、検査窓１Ｌには１３５度の偏光板を配する。これにより、右眼では右眼用視標のみが、左眼では左眼用視標のみが見えるようになっている。
【０００５】
【発明が解決しようとする課題】
ところで、両眼視機能検査が正確に行われるためには、対応する視標光の偏光角と偏光板の偏光角とが直交していることが必要である。
【０００６】
しかしながら、図１６のように、フォロプタ１と視標提示装置３とがそれぞれ独立に別体となっている自覚式検眼装置では、これらの装置が配置される床面の傾きの違いや、その他の設定環境上の要因により、フォロプタ１と視標提示装置３が水平に設置されない場合がある。その結果、視標側の偏光板の偏光方向と、レンズユニット側の偏光板の偏光方向とのなす角が９０度にならない場合がある。このような場合、右眼により左眼用視標が見えてしまうとともに、左眼により右眼視標が見えてしまうことになり、正確な両眼視機能検査が不可能になるという不都合がある。
【０００７】
また、フォロプタ１と視標提示装置３とが一体化されている装置であっても、長年の使用により、偏光板の傾き角がずれ、図１６の装置と同様な不都合が生じる虞がある。
【０００８】
また、出荷時には偏光板が正しい位置に調整されていても、運搬時に振動等により偏光板が正規の位置からずれてしまう虞があり、このような場合にも図１６と同様な不都合が生じる。
【０００９】
この発明は、上記事情に鑑みてなされたもので、その目的は、床面の傾きやその他の諸条件の影響を受けずに、両眼視機能を正確に測定することのできる自覚式検眼装置を提供することにある。
【００１０】
【課題を解決するための手段】
上記目的を達成するため、請求項１の発明は、被検者からの応答に基づいて被検眼の視機能を検査する自覚式検眼装置であって、
前記被検眼の視機能を検査するための各種の視標を前記被検眼に向けて提示する視標提示手段と、
前記被検眼の視機能を矯正するため前記視標提示手段と前記被検眼との間に配置される各種の光学素子と、
前記光学素子の交換又は回転その他の位置状態を制御する位置制御手段とを備えるとともに、
該光学素子群には、所定の方向に偏光された光束成分のみを透過させるための偏光部材が含まれ、
前記位置制御手段は、前記偏光部材の偏光方向を変えるように前記偏光部材の位置を制御することが可能なように構成され、
前記位置制御手段によって前記偏光部材を所定の位置に制御し、その制御後の前記偏光部材の所定の位置を記憶手段に記憶させるように構成した。
【００１１】
請求項２の発明は、前記偏光部材の偏光方向を手動で調整する手動調整手段と、
前記手動調整手段による調整の終了を示す信号を出力する信号出力手段と、
前記信号出力手段から前記信号が出力された場合に、その信号出力時の前記偏光部材の位置を記憶する記憶手段とを具備するとともに、
前記位置制御手段は前記手動調整手段からの入力に基づいて作動し、
前記位置制御手段は、前記記憶手段による記憶後は、前記記憶手段の記憶内容に基づいて前記偏光部材の位置を制御するように構成されたことを特徴とする。
【００１２】
【実施形態】
以下、この発明に係る自覚式検眼装置の実施形態を図面に基づいて説明する。
［第１実施形態］
〈全体構成〉
図１に示す自覚式検眼装置１０は、フォロプタ１１と、このフォロプタ１１の前方に設置された視標提示装置２００と、検眼テーブル１２に載置されたコントローラ２０等とから大略構成されている。
【００１３】
フォロプタ１１は、検眼テーブル１２から上方へ伸びた支柱１３の上部に固定されたアーム１４に取り付けられている。支柱１３は上下方向に伸縮可能となっているとともに支柱１３の軸線回りに回転可能となっている。
【００１４】
コントローラ２０は、ノート型のパーソナルコンピュータで構成され、キーボード２４やマウス２５の操作によりフォロプタ１１や視標提示装置２００の制御を行うようになっている。コントローラ２０は、パーソナルコンピュータに限らず、本願出願人がＫＢ-１Ｄの商品名で発売している専用のコントローラであってもよい。また、コントローラ２０は、図示しないインターフェースを介してフォロプタ１１および視標提示装置２００に接続されており、このインターフェースを介して信号の送受信が行われる。３０はモニタ画面である。
〈フォロプタ１１〉
次に、各部の詳細について説明する。
【００１５】
フォロプタ１１は、周知の通り左右対称の構造となっているので、図２に示すように、左側部分（被検者の左眼Ｅに対応する部分）の構造について説明する。
【００１６】
図２において、１００は前後に検査窓１１Ｌ,１１Ｌ′が形成されたケースであり、このケース１００内には前後方向に延びた軸１０３が固定されている。この軸１０３には、レンズディスク１０１〜１０５が回転可能に装着されている。各レンズディスク１０１〜１０５には図３および図４に示すように周方向に沿って等間隔に複数の円形の孔Ｔ,Ｈが形成されており、各孔Ｔ,Ｈには光学特性の異なる光学素子が装着されている。
【００１７】
各レンズディスク１０１〜１０５は、軸１０３を中心にして回転させることにより、検査窓１１Ｌ,１１Ｌ′を結ぶ測定光軸１００Ｋ上に各光学素子を配置することができる。
【００１８】
各種の光学素子は、種類別に各レンズディスク１０１〜１０５に分けられている。０.２５Ｄ刻みで度数を異ならせた複数の弱球面度数レンズはレンズディスク１０１の各孔Ｔに嵌め込まれて装着されており、３Ｄ刻みで度数を異ならせた複数の強球面度数レンズはレンズディスク１０２の各孔Ｔに嵌め込まれて装着されている。また、乱視検査を行うための乱視レンズはレンズディスク１０３に、その他の補助レンズ（例えば遮光板、ピンホール、マドックスレンズ、赤／緑フィルタなど）はレンズディスク１０４にそれぞれ嵌め込まれている。
【００１９】
また、レンズディスク１０５には、クロスシリンダ検査を行うためのクロスシリンダと偏光板が装着されている。各レンズディスク１０１〜１０５のいずれにも矯正をかけないようにすることができるように、各レンズディスク１０１〜１０５は各孔Ｔ,Ｈの内少なくとも１つは素通しとなっている開口を有している。
【００２０】
レンズディスク１０１〜１０４は従来と全く同様な構成なので詳細な説明は省略する。
【００２１】
レンズディスク１０１〜１０５の外周にはギア１０１Ｇ〜１０５Ｇが形成され、各ギア１０１Ｇ〜１０５Ｇには駆動ギアＫ1〜Ｋ5がそれぞれ噛合されている。駆動ギアＫ1〜Ｋ5はパルスモータＭ1〜Ｍ5の駆動軸Ｍa1〜Ｍa5に取り付けられていて、レンズディスク１０１〜１０５がパルスモータＭ1〜Ｍ5によって回転されるようになっている。なお、図２ではパルスモータＭ2,Ｍ5と駆動ギアＫ2,Ｋ5のみを示し、他のパルスモータおよび駆動ギアは省略してある。この実施形態では５つのパルスモータＭ1〜Ｍ5を使用しているが、ギア切換機構を採用することによりパルスモータの数を減らすことも可能である。
【００２２】
レンズディスク１０５は、図２および図４に示すように、軸１０３を中心にして回転する太陽歯車１１０を備えている。この太陽歯車１１０は、大径歯車１１０Ｌと小径歯車１１０Ｓとで２段に構成されており、小径歯車１１０ＳはパルスモータＭ6の駆動軸Ｍa6に設けられた駆動ギアＫ6に噛合され、パルスモータＭ6の駆動によって太陽歯車１１０が回転するようになっている。
【００２３】
一方、レンズディスク１０５の孔Ｈにはこの孔Ｈの中心回りに回転可能にホルダ１１１Ｈ,１１２Ｈ1〜１１２Ｈ5が装着されている。ホルダ１１１Ｈには偏光板１１１が、ホルダ１１２Ｈ1〜１１２Ｈ5には度数の異なるクロスシリンダ１１２がそれぞれ保持されている。
【００２４】
ホルダ１１１Ｈ,１１２Ｈ1〜１１２Ｈ5の外周にはギア１１１Ｇ,１１２Ｇ1〜１１２Ｇ5が形成され、各ギア１１１Ｇ,１１２Ｇ1〜１１２Ｇ5が太陽歯車１１０の大径歯車１１０Ｌに噛合されており、パルスモータＭ6の駆動により偏光板１１１やクロスシリンダ１１２を測定光軸１００Ｋ回りに回転させることができるようになっている。
【００２５】
なお、太陽歯車１１０の小径歯車１１０Ｓには図示しないアブソリュートエンコーダが取り付けられており、このアブソリュートエンコーダの出力に基づき偏光板１１１の偏光方向の角度が演算される。ここでは、アブソリュートエンコーダの出力がゼロのときを基準位置とし、この基準位置に太陽歯車１１０があるとき、偏光板１１１の偏光方向の角度が水平方向に対して１３５度になるように設定されている。なお、右側の検査窓１１Ｒ側の光路に配置される偏光板１１１′(図示せず)は、基準位置に太陽歯車１１０があるとき、偏光板１１１′の偏光方向の角度が水平方向に対して４５度になるように設定されている。
〈視標提示装置２００〉
次に、視標提示装置２００について説明する。
【００２６】
視標提示装置２００は、図５に示すように、視標を提示する窓２０５を有する本体２０６内に設けられた視標光学系２０７を有している。視標光学系２０７は、光源２０１、コンデンサレンズ２０２、拡散板２０３、視標パネル２０４を備えている。光源２０１から発した光束は、コンデンサレンズ２０２によりほぼ平行光束とされ、さらに拡散板２０３によって拡散されて視標パネル２０４を均一に照明する。
【００２７】
視標パネル２０４は本体２０６内に複数枚設けられており、検査の種類に応じて図示しない搬送機構によって所定の視標パネル２０４が視標光学系２０７の光路内に配置されるようになっている。
【００２８】
各視標パネル２０４には、図６に示すように、ランドルト環（図６(ａ)）、乱視テスト用視標（図６(ｂ)）、クロスシリンダーテスト用視標（図６(ｃ)）等の視標チャートがそれぞれ設けられている。
【００２９】
また、両眼視機能検査のための視標として、図７に示すような両眼視機能測定用の視標が用意されている。図７において、（ａ）は十字斜位視標、（ｂ）は不等像視標、（ｃ）は回旋斜位視標、（ｄ）は立体視視標である。そして、各視標には偏光フィルタが取り付けられている。例えば、（ａ）の十字斜位視標を例にとって説明すると、縦線部２０４ａには水平方向に対して偏光方向が４５度の偏光フィルタが取り付けられ、横線部２０４ｂには水平方向に対して偏光方向が１３５度の偏光フィルタが取り付けられている。
〈制御系〉
［コントローラ２０］
図８は自覚式検眼装置１０の制御系の構成を示したブロック図である。自覚式検眼装置１０のコントローラ２０は、各種の制御を司るＣＰＵ２１と、所定の処理を実行するためのプログラムを記憶したＲＯＭ２２と、データを一時記憶するＲＡＭ２３と、図示しない所定のインターフィエースを介してＣＰＵ２１に接続されたマウス２４およびキーボード２５などとを備えている。ＣＰＵ２１はシリアルインターフェース２６を介してフォロプタ１１に接続され、シリアルインターフェース２６を介して制御信号のやりとりを行う。
【００３０】
また、コントローラ２０は赤外発光部２７を有しており、この赤外発光部２７はインターフェース２８を介してＣＰＵ２０に接続され、ＣＰＵ２０はマウス２４やキーボード２５の指示にしたがって赤外発光部２７から赤外光を発光させるようになっている。
［フォロプタ１１］
フォロプタ１１は、各パルスモータＭ1〜Ｍ6を駆動させるドライバＤ1〜Ｄ6と、コントローラ２０からの制御信号に基づいて各ドライバＤ1〜Ｄ6を制御するＣＰＵ１２０と、偏光板調整モードのときに行う偏光板１１１の偏光方向の角度を記憶するメモリ１２１等とを備えている。１２２はインターフェースである。
［視標提示装置］
視標提示装置２００は、所定の視標パネル２０２を視標光学系の光路内に配置させるモータ２１０と、このモータ２１０を駆動させるドライバＤ10と、光源２０１を発光させるドライバＤ11と、コントローラ２０の赤外発光部２７から発光される赤外光を受光する赤外受光部２１１と、この赤外受光部２１１の受光信号に基づいてドライバＤ10,Ｄ11を制御するＣＰＵ２１２等とを備えている。２１３はインタフェースである。
［動  作］
次に、上記実施形態の自覚式検眼装置１０の動作を説明する。
【００３１】
先ず、図示しない電源スイッチをオンする。すると、コントローラ２０のモニタ画面３０の下には「ｆ12：偏光板調整モード」が表示され、キーボード２５のファンクションキーｆ12を押すと、偏光板１１１の調整モードが開始される。なお、モニタ画面３０に「偏光板調整モード」等のアイコンを表示させておき、このアイコンをマウス２４でダブルクリックした場合に偏光板調整モードが開始されるように構成してもよい。
【００３２】
偏光板調整モードが開始されると、コントローラ２０のＣＰＵ２１は赤外発光部２７から偏光板調整モード信号の赤外光を発光させる。この発光により、視標提示装置２００の赤外受光部２１１がその赤外光を受光し、ＣＰＵ２１２は赤外受光部２１１の受光信号に基づきモータ２１０を駆動制御して十字斜位視標の視標パネル２０４を視標光学系２０７の光路内に配置させるとともに、光源２０１を発光させる。この発光により、十字斜位視標が視標提示装置２００の窓２０５からフォロプタ１１に向けて提示される。
【００３３】
他方、偏光板調整モードにより、フォロプタ１１のパルスモータＭ5が駆動制御されて、レンズディスク１０５が回転軸１０３を中心にして回転されて偏光板１１１が検査窓１１Ｌの正面の位置、すなわち、測定光路内に配置される。また、フォロプタ１１の右眼側の検査窓１１Ｒには遮光板が配置される。これにより、右眼からはなにも見えないことになる。また、パルスモータＭ1〜Ｍ4が駆動されてレンズディスク１０１〜１０４が回転され、レンズディスク１０１〜１０４の素通しの開口が検査窓１１Ｌの正面の位置に位置される。この際に、予めレフラクトメータで測定した他覚値を入力し、それに対応したパワーの光学素子を挿入させるようにしてもよい。
【００３４】
このため、フォロプタ１１の検査窓１１Ｌから偏光板１１１を通して視標提示装置２００の窓２０５に提示された十字斜位視標を観察することができることになる。
【００３５】
ところで、十字斜位視標の横線部２０４ｂには水平方向に対して偏光方向が１３５度の偏光フィルタが取り付けられており、偏光板１１１の偏光方向の角度が水平方向に対して１３５度になるように設定されていることにより、左目には十字斜位視標の横線部２０４ｂだけが見えることになる。
【００３６】
検者は、検査窓１１Ｌから十字斜位視標を見ながら、キーボード２５の右カーソル移動キー(図示せず)や左カーソル移動キー(図示せず)を押す。右カーソル移動キーが１回押されると、ＣＰＵからドライバＤ6に向けて正のパルスが出力され、パルスモータＭ6は時計回りに所定角度回転する。同様に、左カーソル移動キーが１回押されると、ＣＰＵからドライバＤ6に向けて負のパルスが出力され、パルスモータＭ6は反時計回りに所定角度回転する。
【００３７】
パルスモータＭ6の回転により太陽歯車１１０が回転し、この太陽歯車１１０の回転によりホルダ１１１Ｈがレンズディスク１０５の孔Ｈ内で回転する。このホルダ１１１Ｈの回転方向はパルスモータＭ6の回転方向と同方向となる。また、ホルダ１１１Ｈの回転量は、パルスモータＭ6が１パルスによって所定角度回転する毎に例えば１度だけ回転するように設定されている。ホルダ１１１Ｈの回転により、偏光板１１１の偏光方向の角度が調整されていくことになる。
【００３８】
一方、左右カーソル移動キーの入力操作の履歴はＲＡＭ２３に記憶される。
【００３９】
検者は、十字斜位視標の横線部２０４ｂが一番鮮明に見えるようになるまで左カーソル移動キー,右カーソル移動キーを入力操作し、その横線部２０４ｂが一番鮮明に見えた場合、キーボード２５の図示しないリターンキーを押す。このリターンキーの操作により、キーボード２５から調整終了を示す信号が出力され、この信号によりＣＰＵ２１はＲＡＭ２３に記憶された左右カーソル移動キーの入力操作の回数を確定する。そして、偏光板１１１の回転位置調整が完了する。
【００４０】
次に、ＣＰＵ２１は、ＲＡＭ２３に記憶された左右カーソル移動キーの履歴情報に基づき、基準位置からの偏光板１１１の回転量を演算し、この演算した偏光板１１１の回転量をフォロプタ１１のメモリ１２１に記憶させる。例えば、右カーソル移動キーが５回、左カーソル移動キーが３回押された情報がＲＡＭ２３に記憶されている場合、偏光板１１は最終的に基準位置からが時計回りに２度回ったとＣＰＵ２１によって演算され、この演算した結果がフォロプタ１１のメモリ１２１に記憶される。なお、前述したように、太陽歯車１１０にはアブリュートエンコーダが取り付けられているので、この出力に基づき偏光板１１１の位置を演算しても良い。
【００４１】
以後、偏光板１１１を使用した検査が行われる場合には、メモリ１２１に記憶されたデータに基づいて、偏光板１１１の回転位置調整がＣＰＵ１２０によって自動的に行われる。
【００４２】
左側のフォロプタ１１の偏光板１１１の回転位置調整が終了すると、次に上記と同様にして右側のフォロプタの偏光板の回転位置調整を行う。
【００４３】
すなわち、フォロプタ１１の検査窓１１Ｌには遮光板を配置し、左目は何も見えない状態にするとともに偏光板を右目の測定光路内に配置させる。そして、右目から十字斜位視標の縦線部２０４ａが見える状態にして、以下、上記と同様の手順により偏光板の回転位置調整を完了させる。なお、左側で演算された結果に基づき偏光板１１１′を回転させ、その位置から右側の調整を始めてもよい。
【００４４】
このように、遮光板１１１の回転位置を調整することにより、検査窓１１Ｌ,１１Ｒの偏光板１１１,１１１′の偏光方向と、十字斜位視標の縦・横線部２０４ａ,２０４ｂに取り付けられている偏光フィルタの偏光方向とを確実に直交させることができる。
【００４５】
したがって、フォロプタ１１や視標提示装置２００が水平に設置されていなくても、また、フォロプタ１１の偏光板１１１や視標提示装置２００の視標パネル２０２が正規の位置からずれていても、正確に斜位検査（両眼視機能検査）の測定を行うことができる。
【００４６】
上述の実施形態では、偏光板調整モードの際に十字斜位視標が視標提示装置２００の窓２０５から提示されるようになっているが、立体視チャート等、いわゆる両眼視機能検査に使用する視標であれば、どのような視標であってもよい。また、ランドルト環のような視力検査チャートに偏光板を重ね合わせて投影するようにしてもよい。
【００４７】
また、視標提示装置２００は、上記のようなものに限らず、例えば、特開平６−１９７８６７号公報に記載されているような省スペース型の視標提示装置、すなわち、凹面鏡を介して視標を投影させ、これにより、占有スペースの削減を図ることができる視標提示装置に置き換えてもよいことはいうまでもない。
［第２実施形態］
図９および図１０は第２実施形態を示したものであり、この第２実施形態では、レンズディスク１０５の各孔Ｈに偏光板１１１と度数の異なるクロスシリンダ１１２をそれぞれ嵌め込んだものである。
【００４８】
偏光板１１１の偏光方向の角度の調整は、図１１に示すように、レンズディスク１０５を少し回転させることにより行うようにしたものである。
【００４９】
この第２実施形態によれば、太陽ギア１１０やモータＭ6などを使用しないので、その構成が簡単なものとなる。
［第３実施形態］
図１２は第３実施形態を示したものであり、この第３実施形態では、検者の自覚的な判断によらず、光電出力素子の出力に基づき偏光板１１１の回転位置を自動調整するようにしたものである。
【００５０】
図１２において、１３０はレンズディスク１０１の１つの孔Ｔに図示しないホルダを介して装着したフォトダイオード、１３１はレンズディスク１０４の１つの孔Ｔに嵌め込まれた球面レンズである。この球面レンズ１３１の焦点距離はフォトダイオード１３０とレンズディスク１０４との間の距離と等しく設定されている。
【００５１】
フォトダイオード１３０は、図１３に示すように、Ａ／Ｄ変換器１３２を介してＣＰＵ１２０に接続されている。偏光板調整モードの際、フォトダイオード１３０の出力値はパルスモータＭ6が駆動される毎にメモリ１２１に記憶されていくようになっている。メモリ１２１に記憶された値は、後述するように、適宜所定の制御のためにメモリ１２１から読み出される。
【００５２】
次に、第３実施形態の動作について説明する。
【００５３】
第１実施形態と同様に、キーボード２５のファンクションキーｆ12が押されることにより、偏光板調整モードが選択されると、レンズディスク１０５の回転により偏光板１１１が検査窓の位置に配置される。また、レンズディスク１０１、１０４が回転してフォトダイオード１３０、球面レンズ１３１が測定光軸１００Ｋ上に配置される。さらに、レンズディスク１０２,１０３が回転して、検査窓１１Ｌの位置にレンズディスク１０２,１０３の素通しの開口が位置される。
【００５４】
これらレンズディスク１０１〜１０４の回転が完了すると、視標提示装置２００の光路内に十字斜位視標の視標パネル２０４が配置され、十字斜位視標が視標提示装置２００の窓２０５からフォロプタ１１に向けて提示される。
【００５５】
十字斜位視標はフォロプタ１１から見て実質上無限遠とみなせる位置にあるので、十宇斜位視標からの光束は平行光束としてフォロプタ１１に入射し、球面レンズ１３１によって、フォトダイオード１３０の受光面に集光される。
【００５６】
フォトダイオード１３０は受光量に応じた受光信号を出力し、この受光信号に応じた光量Ｑ0がメモリ１２１に記憶される。
【００５７】
次に、ＣＰＵ１２０は、ドライバＤ6に向けてパルスを出力させてパルスモータＭ6を回転させる。パルスモータＭ6は、駆動パルスにより太陽歯車１１０を回転させて、偏光板１１１の偏光方向を１度だけ右方向（時計方向）へ回転させる。この後、ＣＰＵ１２０は再度フォトダイオード１３０の受光信号に応じた光量Ｑ1をメモリ１２１に記憶させる。さらに、ＣＰＵ１２０は、偏光板１１１を左方向（反時計方向）に２度、即ち、初期位置より左方向に１度回転させ、再度フォトダイオード１３０の受光信号に応じた光量Ｑ2をメモリ１２１に記憶させる。
【００５８】
その後、ＣＰＵ１２０は、メモリ１２１に記憶されたＱ0,Ｑ1,Ｑ2を読み出し、互いに比較する。
【００５９】
Ｑ0,Ｑ1,Ｑ2のうちでＱ0が最大である場合には、偏光板１１１は最初の偏光方向に配置すれば正確な両眼視機能検査が可能であることを示している。従って、ＣＰＵ１２０は、基準位置が偏光板１１１の最適な位置と判断し、次回以降両眼視機能検査がされる場合には、偏光板１１１を基準位置に配置するようにパルスモータＭ6を制御する。
【００６０】
一方、Ｑ0,Ｑ1,Ｑ2のうちでＱ1が最大値である場合には、それは偏光板１１１を初期位置から右方向に回転させるべきであることを示している。フォトダイオード１３０の受光光量が最大となるまで偏光板１１１の回転を続行する。受光光量が最大となる偏光板１１１の位置が検出されたら、そのときのアブソリュートエンコーダの値を読み、基準位置からのズレ量を演算し、このズレ量をメモリ１２１に記憶させる。次回以降両眼視機能検査がされるときには、メモリ１２１からこのズレ量が読み出され、基準位置からこのズレ量に等しい量だけずれた角度に偏光板１１１を自動調整する。
【００６１】
また、Ｑ0,Ｑ1,Ｑ2のうちでＱ2が最大値である場合には、それは偏光板１１１を初期位置から左方向に回転させるべきことを示している。フォトダイオード１３０の受光光量が最大となるまで偏光板１１１の回転を続行する。後の制御は同様に行われる。
［第４実施形態］
図１４および図１５は第４実施形態を示したものである。この第４実施形態では、フォロプタ１１と視標提示装置２００とに電気気泡管１５０,１５１を取り付け、ＣＰＵ１２０は電気気泡管１５０,１５１から出力される傾斜信号に基づいて、フォロプタ１１と視標提示装置２００の傾きの差を演算し、この差に応じてＣＰＵ１２０は自動的にパルスモータＭ6を駆動制御するものである。
【００６２】
すなわち、フォロプタ１１と視標提示装置２００とが同一方向に同一角度だけ傾いていれば、電気気泡管１５０,１５１から出力される傾斜信号の差はゼロとなるので、偏光板１１１は基準位置に配置しておく。また、例えばフォロプタ１１が視標提示装置２００に対して１度だけ右方向に傾いていれば、傾斜信号の差は１度となり、ＣＰＵ１２０は偏光板１１１を左方向へ１度だけ回転させる。
【００６３】
このようにすることにより、検査窓１１Ｌ,１１Ｒの偏光板１１１,１１１′の偏光方向と、十字斜位視標の縦・横線部２０４ａ,２０４ｂに取り付けられている偏光フィルタの偏光方向とを確実に直交させることができ、正確に斜位検査の測定を行うことができる。
【００６４】
【効果】
この発明によれば、床面の傾き等の影響を受けずに両眼視機能を正確に測定することができる。
【図面の簡単な説明】
【図１】この発明に係る自覚式検眼装置の構成を示した斜視図である。
【図２】図１に示すフォロプタの構成を示した平断面図である。
【図３】レンズディスクを示した正面図である。
【図４】レンズディスクと太陽ギアとの関係を示した正面図である。
【図５】視標提示装置の光学系の構成を示した概略光学配置図である。
【図６】（ａ）ランドルト環を示した指標チャートである。
（ｂ）乱視テストチャートを示した指標チャートである。
（ｃ）クロスシリンダーテスト用視標を示した指標チャートである。
【図７】（ａ）は十字斜位視標を示した指標チャートである。
（ｂ）は不等像視標を示した指標チャートである。
（ｃ）は回旋斜位視標を示した指標チャートである。
（ｄ）は立体視視標を示した指標チャートである。
【図８】自覚式検眼装置の制御系の構成を示したブロック図である。
【図９】第２実施形態のフォロプタの構成を示した平断面図である。
【図１０】第２実施形態のレンズディスクを示した説明図である。
【図１１】偏光板の偏光方向の変え方を示した説明図である。
【図１２】第３実施形態のフォロプタの構成を示した平断面図である。
【図１３】第３実施形態の自覚式検眼装置の制御系の構成を示したブロック図である。
【図１４】第４実施形態の自覚式検眼装置の構成を示した斜視図である。
【図１５】第４実施形態の自覚式検眼装置の制御系の構成を示したブロック図である。
【図１６】従来の自覚式検眼装置の構成を示した説明図である。
【符号の説明】
１１                   フォロプタ
１０１〜１０５           レンズディスク
１１０                   太陽歯車
１１１                   偏光板
１１１Ｈ                 ホルダ
２００                   視標提示装置
Ｍ1〜Ｍ6                 パルスモータ
【図１】
0004498544.tif 000002
【図２】
0004498544.tif 000003
【図３】
0004498544.tif 000004
【図４】
0004498544.tif 000005
【図５】
0004498544.tif 000006
【図６】
0004498544.tif 000007
【図７】
0004498544.tif 000008
【図８】
0004498544.tif 000009
【図９】
0004498544.tif 000010
【図１０】
0004498544.tif 000011
【図１１】
0004498544.tif 000012
【図１２】
0004498544.tif 000013
【図１３】
0004498544.tif 000014
【図１４】
0004498544.tif 000015
【図１５】
0004498544.tif 000016
【図１６】
0004498544.tif 000017